(57)【要約】  多数の区画を含むウエブ形態の水溶性または水分散性のフィルムまたはフィルムスタックの切断または穿孔方法であって、前記フィルムまたはフィルムスタックにレーザービームを適用することにより各区画が切断または穿孔される、フィルムまたはフィルムスタックの切断または穿孔方法。組成物を含む水溶性または水分散性の容器の製造方法であって、ａ.多数のポケットを含む水溶性または水分散性のベースウエブフィルムを製造する工程、ｂ.各ポケットを組成物で充填する工程、ｃ.水溶性または水分散性のトップウエブフィルムで前記ポケットを密封して密閉容器を製造する工程、ｄ.レーザービームで組み合わせられたウエブを切断または穿孔することにより、多数の容器から少なくとも１個の容器を分離する工程、を含む組成物を含む水溶性または水分散性の容器の製造方法。【特許請求の範囲】
【請求項１】
多数の区画を含むウエブ形態の水溶性または水分散性のフィルムまたはフィルムスタックの切断または穿孔方法であって、前記フィルムまたはフィルムスタックにレーザービームを適用することにより各区画が切断または穿孔される、フィルムまたはフィルムスタックの切断または穿孔方法。
【請求項２】
前記水溶性フィルムがＰＶＯＨに基づく請求項１に記載の方法。
【請求項３】
前記フィルムがラミネート形態である請求項１または２に記載の方法。
【請求項４】
前記フィルムがレーザービームによって穿孔される請求項１ないし３のいずれか１項に記載の方法。
【請求項５】
前記フィルムが２０から１５０ミクロンの厚さを有し、前記フィルムスタックが４０から５００ミクロンの厚さを有する請求項１ないし４のいずれか１項に記載の方法。
【請求項６】
組成物を含む水溶性または水分散性の容器の製造方法であって、
ａ.多数のポケットを含む水溶性または水分散性のベースウエブフィルムを製造する工程、
ｂ.各ポケットを組成物で充填する工程、
ｃ.水溶性または水分散性のトップウエブフィルムで前記ポケットを密封して密閉容器を製造する工程、
ｄ.レーザービームで組み合わせられたウエブを切断または穿孔することにより、多数の容器から少なくとも１個の容器を分離する工程、
を含む組成物を含む水溶性または水分散性の容器の製造方法。
【請求項７】
前記組成物が液体組成物である請求項６に記載の方法。
【請求項８】
前記組成物が布帛ケア剤、表面仕上げ剤または食器用洗剤組成物である請求項１ないし７のいずれか１項に記載の方法。
【請求項９】
前記組成物が食器用洗剤、軟水剤、洗濯洗剤または洗剤組成物またはリンス助剤である請求項８に記載の方法。
【請求項１０】
前記組成物が、消毒剤、抗菌剤または防腐剤組成物またはトリガータイプのスプレー用の詰め替え品組成物である請求項８に記載の方法。
【請求項１１】
前記組成物が、健康または環境に潜在的に有毒、悪影響を及ぼすかまたは有害な有害組成物である請求項１ないし６のいずれか１項に記載の方法。
【請求項１２】
前記組成物が農薬組成物である請求項１ないし６のいずれか１項に記載の方法。
【請求項１３】
前記組成物が医薬組成物またはニュートラシューティカルである請求項１ないし６のいずれか１項に記載の方法。
【請求項１４】
ＰＶＯＨフィルムを連続的に切断または穿孔するためのレーザービームの使用。
【発明の詳細な説明】
【技術分野】
【０００１】
本発明は、ポリビニルアルコール（ＰＶＯＨ）フィルムの切断または穿孔方法に関し、特にはそのラミネートおよびスタックに関する。
【０００２】
ＰＶＯＨフィルムの用途はますます増大している。多くのＰＶＯＨフィルムは水溶性で、洗濯洗剤、有害組成物および摂取可能な組成物のような組成物を含む容器を調製するために使用することができる。そのような容器の例は例えばＷＯ ００／５５０６８に記述されている。
ＰＶＯＨフィルムは加工が困難である。ＰＶＯＨフィルムは水溶性であり、ある程度吸湿性がある。また、温度変化および湿度変化に敏感である。さらに引張強度が高く、例えばポリエチレンの何倍も高い。しかしＰＶＣ、ポリプロピレンおよびポリスチレンから作られたフィルムのような他のフィルムと比較して、ＰＶＯＨフィルムは剛性に欠ける。
【０００３】
これらの要因のため、ＰＶＯＨフィルムを良好に切断することは困難である。これまでＰＶＯＨは、フライングナイフ、クラッシュカット・ローラーナイフ、または精密穿孔切断システムを使用して工業規模で、ある程度良好に切断されてきたが、これらの切断方法でさえ問題であることが示されている。ＰＶＯＨフィルムの引張り特性および伸長特性は、切断中に相当な熱が発生することを意味する。このことは、温度および湿度変化に敏感であることによる物理的性質の変わりやすさと相まって、ＰＶＯＨフィルムを確実に繰り返し切断することが困難であることを意味する。このことは、穿孔されたＰＶＯＨフィルムを穿孔ラインに沿って裂こうと試みれば、容易に実証することができる。フィルムの伸張特性は、フィルムを穿孔に沿って裂く場合、どれほど注意してもフィルムがほとんど常に変形することを意味する。さらに、機械的切断手段のジャミングが容易に生じる場合がある。
【０００４】
したがって、加熱されたＰＶＯＨの破片から切断縁を清浄かつ鮮明に維持するために、定期的管理が必要とされる。この破片が除去されない場合、ジャムを引き起こすかあるいは切断縁を破損する場合がある。そのいずれも製造の大きな遅れに結びつく場合がある。ナイフはすぐに刃先が鈍くなり研ぐか交換しなければならず、これも切断装置の休止時間の増加につながることが見出されている。
さらに精密穿孔器は本質的に支持を必要とし、したがって製造ラインにおける配置に関して注意深い考慮を必要とする重く高価な設備品である。一般に、このことはそのような穿孔器を収容するために熱成形装置のような製造ラインを拡張しなければならないことを意味する。
【０００５】
これは、例えば連続動作または断続動作の熱成形装置によって製造されるような、容器の列または二次元配列からＰＶＯＨ容器を切断する場合、特に不都合であることが明らかにされている。容器間のフィルムを（機械的手段によって）切断または穿孔する場合に、ウエブの局所的引張りにより容器自体が破損されないことを保証するために、各容器間のギャップはかなり大きくなければならない。一般に、そのような熱成形ＰＶＯＨ容器は、３.０〜７.０ ｍｍのシール幅を持つように設計されており、隣接容器周辺のフィルムスタックのシール部分の外縁間の距離（容器間の「ギャップ」）は、５.０〜１５.０ｍｍである。
【０００６】
我々は、上記の不利な点を克服するＰＶＯＨフィルムまたはＰＶＯＨフィルムスタックの切断または穿孔方法を見出した。
本発明は、レーザービームをフィルムまたはフィルムスタックへ適用することにより、少なくとも１個の容器が切断または穿孔される、多数の容器を含むウエブ形態の水溶性または水分散性のフィルムまたはフィルムスタックの切断または穿孔方法を提供する。
【０００７】
このように、ＰＶＯＨに吸収される波長の集光レーザービームを用いて、１層以上のＰＶＯＨフィルムを切断または穿孔する。一般的にそのようなレーザーは、０.７〜２０μｍの間の赤外線周波数域で作動する。
【０００８】
その方法は、容器のシールの非常に近くでウエブを切断または穿孔することを可能にする。したがって、隣接容器周辺のシールされたフィルムスタックの外面間の距離は、機械的切断または穿孔に必要な距離よりかなり短い。
レーザー切断は多くの出版物のテーマであった。例えば、Ｔｈｅ Ｌａｓｅｒ Ｉｎｓｔｉｔｕｔｅ ｏｆ Ａｍｅｒｉｃａ Ｇｕｉｄｅ ｔｏ Ｌａｓｅｒ Ｃｕｔｔｉｎｇ（Ｌａｓｅｒ Ｉｎｓｔｉｔｕｔｅ ｏｆ Ａｍｅｒｉｃａレーザー切断指針）（Ｌａｓｅｒ Ｉｎｓｔｉｔｕｔｅ ｏｆ Ａｍｅｒｉｃａ出版、ＩＳＢＮ ０−９１２０３５−１７−Ｘ）、ＣＯ２ Ｌａｓｅｒ Ｃｕｔｔｉｎｇ （ＣＯ２レーザー切断）（Ｓｐｒｉｎｇｅｒ Ｖｅｒｌａｇ出版、ＩＳＢＮ １−８５２３３−０４７−３）。
【０００９】
本発明はさらに、以下の工程を含む組成物を含む水溶性または水分散性の容器の製造方法を提供する；
ａ.多数のポケットを含む水溶性または水分散性のベースウエブフィルムを製造する工程、
ｂ.各ポケットを組成物で充填する工程、
ｃ.水溶性または水分散性のトップウエブフィルムで前記ポケットを密封して密閉容器を製造する工程、および
ｄ. トップウエブおよびベースウエブフィルムをレーザービーム切断して、多数の容器から少なくとも１個を分離する工程。
【００１０】
本発明は、１層以上のＰＶＯＨフィルムを切断または穿孔するためのレーザービームの使用方法も提供する。
「切断」とは、連続動作または断続動作のいずれかによるレーザービームの移動、フィルムの移動、またはレーザービームの移動とフィルムの移動の組み合わせによって、１層以上のＰＶＯＨフィルムの表面にわたってレーザービームを移動するプロセスを意味する。切断は任意の長さで行なうことができ、これは不可欠ではないが、残りのフィルムから少なくとも１片のＰＶＯＨフィルムを分離することができる。
「穿孔」とは、１層以上のＰＶＯＨフィルムに一連の穴、短い切断または鋸歯状の切り込み、特に少なくとも３、５または１０個の穴または切断がパターンとして形成されるプロセスを意味する。完全な周辺を生成してもしなくても、パターンは任意の形、例えば直線または曲線であってもよい。穿孔は、その後フィルムの引き裂き、例えば手で裂くことの助けとなる。
【００１１】
本発明の方法は、切断領域周辺フィルムの局所加熱の悪影響を排除する。本発明を用いることによって、フィルムの切断部分の周りで温度上昇が依然発生するかもしれないが、加熱されたフィルムは固着するナイフまたは他の機械的装置を持たないため、これはもはや問題ではない。さらに、その方法の成功は、フィルムの引張特性および伸長特性に全く影響されない。
【００１２】
さらに、レーザービームは例えば適切なソフトウェアによって正確に制御することができるため、隣接容器周囲のシールされたフィルムスタックの外面間の距離（「ギャップ」）が、機械的切断または穿孔に必要な距離よりかなり小さい場合にでも、容器間の切断または穿孔に使用することができる。これは、レーザー切断または穿孔操作はもはやウエブの伸縮またはウエブの曲がりという変化しやすい影響を考慮する必要がないからである。これは好まれないが、限られた場合には、我々は容器間のギャップをすべて除去できる可能性があることを示した。
【００１３】
レーザーヘッドは、検流計に基づくレーザー走査ヘッドのような適切なビーム伝送システムによって伝送されたビームと共に、製造ラインのほとんどいかなる場所にも容易に支持されることができる。これは製造ラインを短縮できるという点でかなり実際的長所を有し、精密穿孔機または他の機械的手段が切断または穿孔に使用される場合には、それができないであろうところにラインを設置することを恐らく可能にする。
【００１４】
本発明の方法は様々なレーザーシステムを使用することができるが、一般に中出力ＣＯ２レーザーおよび検流計に基づくビーム伝送システムが本出願において使用される。波長１０.６μｍおよび焦点距離２００ｍｍのレーザーヘッドで作動する２５ＷのＣＯ２レーザーを用いて、良好な結果が得られた。レーザーヘッドはレーザーの残部と一体でもよく、分離して光ファイバーケーブルによってレーザーの残部と連結されることもできる。
薄膜ＰＶＯＨフィルム用途では、中出力レーザーを用いて連続方式で切断する場合、非常に高速であることが予想される。穿孔は、レーザーのパルス繰り返し周波数によって制御することができる。
【００１５】
ＰＶＯＨフィルムは、例えばキャスティングまたは吹き込み成形により製造することができる。フィルムは単一フィルムであってもよい。しかしながら、フィルムが例えば別のＰＶＯＨフィルム、またはヒドロキシプロピルメチルセルロース（ＨＰＭＣ）のようなセルロース誘導体、ポリ（ビニルピロリドン）（ＰＶＰ）、ポリ（アクリル酸）またはそのエステル、ポリ（マレイン酸）またはそのエステル、またはゼラチンのような別の水溶性ポリマーとのラミネートであることが可能である。上記のうちのいずれかのコポリマーも使用することができる。ラミネートは、例えば２、３、４、５、６またはそれ以上の層を有することができる。
【００１６】
ＰＶＯＨは好ましくは例えば冷水または温水中で水溶性（この用語は水分散性を包含して用いられる）である。適切なＰＶＯＨポリマーを選択することによって、所望の温度で、それが定められた時間で溶解することを保証することが可能である。したがって、例えばＰＶＯＨフィルムは冷水（２０℃以下）に可溶であるよう選択することができるが、冷水に不溶であるように選択され、例えば３０、４０、５０、さらに６０℃の温度の温水または熱水にのみ可溶であるようにすることができる。ＰＶＯＨは部分的にまたは完全にアルコール化または加水分解されてもよい。例えば、ＰＶＯＨは、４０〜１００%、好ましくは７０〜９２%、より好ましくは約８８%アルコール化または加水分解することができる。加水分解の程度はＰＶＯＨが水に溶ける温度に影響を及ぼすことが知られている。
エトキシル化ＰＶＯＨのような改質ＰＶＯＨポリマーも使用することができる。
【００１７】
ＰＶＯＨフィルムはＰＶＯＨから成るか、または本質的にＰＶＯＨから成ることができる。可塑剤、潤滑剤および着色剤のような適切な添加剤を添加することが可能である。ポリマーの特性を変化させる成分を添加することもできる。一般に、可塑剤は最高２０重量％まで、例えば１０〜２０重量％の量で使用される。一般に、潤滑剤は０.５〜５重量％の量で使用される。したがって、ＰＶＯＨは一般に７５〜８４.５重量％の量で存在する。適切な可塑剤は、例えばジペンタエリスリトールのようなペンタエリスリトール類、ソルビトール、マンニトール、並びにグリセロール、エチレングリコールおよびポリエチレングリコールのようなグリセリン類およびグリコール類である。滑石、ステアリン酸、ステアリン酸マグネシウム、二酸化ケイ素、ステアリン酸亜鉛またはコロイドシリカのような固形物を、潤滑剤として使用することができる。
【００１８】
フィルムの溶解速度を加速するために、１以上の微粒子固形物をフィルムに含ませることも可能である。固形物の水への溶解は、特にガスが生成される場合、フィルムの分解を加速するのに十分である。
そのような固形物の例は、ナトリウム、カリウム、マグネシウムおよびカルシウムのようなアルカリおよびアルカリ土類金属の、重炭酸塩および炭酸塩、並びに酸である。適切な酸は、例えばカルボキシル基またはスルホン酸基を有する酸性物質またはその塩類である。例としては、遊離酸として、または例えばアルカリまたはアルカリ土類金属との塩類としてのケイ皮酸、酒石酸、マンデル酸、フマル酸、マレイン酸、リンゴ酸、パルミチン酸、クエン酸、ナフタレンジスルホン酸があげられる。
【００１９】
フィルムは任意の所望の厚さを有することができる。好ましい厚さは、２０〜１５０μｍ、より好ましくは３０〜１００μｍ、特には４０〜９０μｍ、さらに５０〜８０μｍ、そして最も特には６０〜８０μｍである。ラミネートフィルムも使用することができる。ラミネートの適切な厚さは３０〜３００μｍ、より好ましくは４０〜２００μｍ、特には４０〜１００μｍである。 
【００２０】
ＰＶＯＨフィルムは無延伸、一軸延伸または二軸延伸であってもよい。ラミネートでは、各フィルム層は独立に無延伸、一軸延伸または二軸延伸であってもよい。ラミネート中の１以上のフィルムが延伸している場合、それらは同じ延伸を持つことができる。またはもし望むなら、延伸面は異なることができる。最終ラミネートも無延伸、一軸延伸または二軸延伸であってもよい。
延伸は、例えばフィルムをラミネートする前に各フィルムを延伸するか、またはフィルムが形成された後ラミネートを延伸することにより行うことができる。
【００２１】
ラミネーションはあらゆる望ましい方法によって行なうことができる。例えば、ラミネートがさらに加工される前に、ラミネーションを行なうことができる。したがって、フィルムスタックを構築するフィルムを加熱して、互いに接着することができる。接着層も提供することができる。
ラミネーションは圧力または真空を用いて支援することができる。２枚の隣接フィルムが同じ溶剤に可溶の場合、接着を保証するために、一方または両方の隣接表面にその溶剤を適用することができる。フィルムが水溶性の場合、適切な溶剤は水またはフィルムを構築するポリマーの水性溶液である。例えばＰＶＯＨが水溶性の場合、適切な溶剤はＰＶＯＨの水溶液である。接着剤は、例えばキャスティングまたは印刷により適用することができる。望ましくは、接着剤のパターンは点刻模様のように適用される。
別の加工と同時にラミネーションを行なうことも可能である。例えば、ラミネーションが熱成形型中でなされる場合がある。この加工により熱成形されたラミネートフィルムを１ステップで製造することが可能となり、フィルムをラミネートするために圧力または真空と共に加熱または接着剤を使用したさらなるステップを行うことが回避される。これによって、ラミネートがあらかじめ形成されるプロセスと比較して、複雑性が減少し製造時間が短縮するだけでなく、設備投資および他のコストが減少する。
【００２２】
本発明の好ましい実施態様ではＰＶＯＨ容器は多数の区画を含むウエブ形態をしており、少なくとも２つの区画の間で切断または穿孔される。区画は、ＰＶＯＨベースウエブフィルムの例えば真空形成または熱成形によって与えられ、充填されたポケット上部にトップウエブフィルムを置き、ポケットを構築するベースウエブフィルムにトップウエブフィルムを、例えばヒートシールによってシーリングすることにより密封することができる。そのような加工は、例えばＷＯ ００／５５０６８に開示されている。水溶性容器を製造する他の方法には、例えば縦型充填シール、横型充填シール、およびピローパックを提供する加工が含まれる。
【００２３】
単に容器を水環境に添加すると溶けて内容物を放出することができるように、容器は望ましくは水溶性である。
ＰＶＯＨまたはエトキシル化ＰＶＯＨに適切な熱成形温度は、例えば９０〜１３０℃、特には９０〜１２０℃である。適切な成形圧力は、例えば６０〜１３８ｋＰａ（１０〜２０ｐ.ｓ.ｉ.）、特には６９〜１０３ ｋＰａ（１０〜１５ｐ.ｓ.ｉ.）である。適切な成形真空は、０〜４ｋＰａ（０〜２０ｍｂａｒ）、特には０〜２ ｋＰａ（０〜２０ ｍｂａｒ）である。適切な滞留時間は、例えば０.４〜２.５秒、特には１.５〜２.０秒である。
【００２４】
当分野の技術者は、例えば熱成形とラミネーションが同時に行なわれる間に望ましい完全性のラミネートを達成するために適切な温度、圧力または真空および滞留時間を選ぶことができる。用いられる真空または圧力は、フィルムの厚さおよび組成に依存する。望ましくは条件は上記範囲内で選ばれるが、上記範囲外のこれらのパラメータを１つ以上使用することが可能である。その場合、他のパラメータ値を変化させることにより補うことが必要な場合がある。
【００２５】
熱成形または真空成形加工におけるトップウエブフィルムは好ましくは水溶性である。ポケットを形成するベースウエブフィルムおよびトップウエブフィルムは、同じかまたは異なる組成物から製造することができる。
トップウエブまたはベースウエブフィルムは単一フィルムまたはラミネートであってもよい。容器を構築するフィルムの少なくとも一方、好ましくは両方は、ＰＶＯＨまたは他の水溶性ポリマーに基づく。
一般にトップウエブフィルムは熱成形されず、それゆえシートの局所的な薄膜化が生じないため、望ましくはポケットを構築するベースウエブフィルムの厚さ未満の厚さを有する。例えばヒートシール中にベースウエブを軟化するためにフィルムを介しての十分な熱伝達を保証するように、フィルムスタックより小さい厚さを有することも望ましい。一般にカバーフィルムの厚さは２０〜１６０μｍ、好ましくは４０〜１００μｍである。
フィルムは、任意の適切な手段、例えば接着剤手段、ヒートシールまたはその組み合わせによって密封することができる。
【００２６】
組成物は、容器が水溶性の場合に水性環境に放出するように意図されるあらゆる組成物であってもよい。したがって例えば、殺生物組成物または植物防疫剤（例えば、殺虫剤、殺真菌剤、除草剤、ダニ駆除剤または殺線虫剤）のような農薬組成物、植物成長調整剤または植物栄養素であってもよい。組成物は、健康または環境に潜在的に有毒、悪影響を及ぼすまたは有害な有害組成物であってもよい。非有害的組成物または摂取可能な組成物、例えば医薬組成物またはニュートラシューティカル組成物であってもよい。
一般にそのような組成物は固形物の場合、０.０１ｇ〜７ｋｇ、好ましくは０.ｌｇ〜２ｋｇの量で包装される。一般にそのような組成は液体またはゲル化状態の場合、１ｍｌ〜１０リットル、特には０.１〜２.０リットル、さらに０.１〜１.０リットルの量で包装される。
【００２７】
組成物は、布帛ケア剤、表面仕上げ剤または食器用洗剤組成物であってもよい。したがって、例えば、食器用洗剤、軟水剤、洗濯洗剤または洗剤組成物またはリンス助剤であってもよい。そのような組成物は家庭用洗濯機での使用に適切な可能性がある。
組成物は、消毒剤、抗菌剤または防腐剤組成物またはトリガータイプのスプレー用の詰め替え品組成物でもあってもよい。一般にそのような組成物は、５〜１００ｇ、特には１５〜４０ｇの量で包装される。例えば、食器用洗剤組成物は重さ１５〜３０ｇであってもよい。軟水剤組成物は重さ１５〜４０ｇであってもよい。また、洗濯洗剤組成物は重さ１５〜４０ｇであってもよい。
【００２８】
組成物は固形物であってもよい。例えば、微粒子または粒状固形物または錠剤であってもよい。
組成物は液体であってもよく、もし望むなら増粘またはゲル化されてもよい。液体組成物は非水性（すなわち無水）または水性であってもよく、例えば合計で５重量％未満または以上の水または自由水を含んでもよい（非常に明瞭な例はない）。一般に無水組成物は、１重量％未満好ましくは０.５重量％未満の水を含む。組成物は１つ以上の相を持っていてもよい。
例えば、組成物は水性組成物および水性組成物と混ざらない液体組成物を含んでもよい。組成物は、液体組成物および分離した固形物組成物、例えば、ボール、錠剤、または微粒子の形態の固形物を含んでもよい。液体組成物は増粘またはゲル化されてもよい。
【００２９】
組成物が比較的高い含水量、例えば５重量％水以上を含む水性液体である場合、水溶性ポリマーが冷水、または最高３５℃の温度の水に可溶の場合、液体が水溶性ポリマーを攻撃しないことを保証するための工程を行うことが必要な場合がある。例えば適切な保護剤で容器の内表面をコーティング処理するか、または組成物がポリマーを溶かさないことを保証するような組成物を適合させる工程を行うことができる。例えば、組成物が高いイオン強度を有するか、あるいは容器の壁を介する水の損失を最小限にする薬剤を含むことを保証することによって、組成物が容器のフィルム壁を内部から溶かすことが防止されることが見出されている。これについてはより詳細にＥＰ−Ａ−５１８,６８９およびＷＯ ９７／２７,７４３に記述されている。
【００３０】
本発明の方法によって製造された容器は、もし望むならあらゆるフランジを除いて最大５０ｃｍの寸法を持つことができる。例えば、容器は長さ１〜５ｃｍ、特には３.５〜４.５ｃｍ、幅１.５〜３.５ｃｍ、特には２〜３ｃｍ、および高さ１〜２ｃｍ、特には１.２５〜１.７５ｃｍを持つことができる。
【００３１】
表面仕上げ剤組成物の例は、表面仕上げの分野で使用されるもの、例えば表面の清浄、処理、またはポリッシュに使用されるものである。適切な表面は、例えば流し、洗面所、便器のようなサニタリー用品の表面、および調理台のような家庭用品表面である。
各組成物の成分は組成物の使用法に依存する。したがって、例えば組成物はアニオン、非イオン、カチオンまたは両性イオン性界面活性剤またはその混合物を含んでもよい。
アニオン性界面活性剤の例は、直鎖または分枝アルキル硫酸塩およびアルキルエーテル硫酸塩としても知られているアルキルポリアルコキシル化硫酸塩である。そのような界面活性剤は高級Ｃ８−Ｃ２０脂肪族アルコールの硫酸化によって製造することができる。
【００３２】
第一級アルキル硫酸塩界面活性剤の例は、ＲＯＳＯ３−Ｍ＋なる式を有するものである。ここで、Ｒは直鎖Ｃ８−Ｃ２０ 炭化水素基、Ｍは水可溶化カチオンである。好ましくは、ＲはＣ１０−Ｃ１６アルキル、例えばＣｌ２−Ｃｌ４であり、Ｍはリチウム、ナトリウムまたはカリウムのようなアルカリ金属である。
第二級アルキル硫酸塩界面活性剤の例は、分子の「骨格」に硫酸エステル部位を有するもの、例えば
ＣＨ２（ＣＨ２）ｎ（ＣＨＯＳＯ３−Ｍ＋）（ＣＨ２）ｍＣＨ３
なる式を有するものである。ここでｍとｎは独立に２以上であり、ｍ+ｎの合計は典型的には６〜２０、例えば９〜１５であり、Ｍはリチウム、ナトリウムまたはカリウムのような水可溶化カチオンである。
特に好ましい第二級アルキル硫酸塩は以下の式を有する（２,３）アルキル硫酸塩界面活性剤である。２−硫酸塩および３−硫酸塩に対して、それぞれ、
ＣＨ２（ＣＨ２）Ｘ（ＣＨＯＳＯ３−Ｍ+）ＣＨ３、および
ＣＨ３（ＣＨ２）Ｘ（ＣＨＯＳＯ３−Ｍ+）ＣＨ２ＣＨ３。
これらの式においてｘは少なくとも４、例えば６〜２０、好ましくは１０〜１６である。Ｍは、例えばリチウム、ナトリウム、カリウムのようなアルカリ金属のようなカチオンである。
【００３３】
アルコキシル化アルキル硫酸塩の例は、
ＲＯ（Ｃ２Ｈ４Ｏ）ｎＳＯ３−Ｍ+
なる式を有するエトキシル化アルキル硫酸塩である。
ここでＲはＣ８−Ｃ２０アルキル基、好ましくはＣ１０−Ｃ１８、例えばＣ１２−Ｃ１６である。ｎは少なくとも１、例えば１〜２０、好ましくは１〜１５、特には１〜６である。Ｍはリチウム、ナトリウム、カリウム、アンモニウム、アルキルアンモニウムまたはアルカノールアンモニウムのような塩形成性カチオンである。これらの化合物は、アルキル硫酸塩と組み合わせて使用した場合、特に望ましい布帛洗濯性能の利点を与えることができる。
一般に、アルキル硫酸塩およびアルキルエーテル硫酸塩は異なるアルキル鎖長、および存在するならば異なるアルコキシル化の程度を含む混合物の形で使用される。
【００３４】
使用することができる他のアニオン性界面活性剤は、脂肪酸の塩類、例えばＣ８−Ｃ１８の脂肪酸、特にはナトリウムまたはカリウム塩、およびアルキル（例えばＣ８−Ｃ１８）ベンゼンスルホン酸塩である。
【００３５】
非イオン性界面活性剤の例は、脂肪酸アルコキシレート類、例えば脂肪酸エトキシレート類であり、特には、
Ｒ（Ｃ２Ｈ４Ｏ）ｎＯＨ
なる式を有するものである。ここでＲは直鎖または分枝Ｃ８−Ｃ１６ アルキル基、好ましくはＣ９−Ｃｌ５、例えばＣ１０−Ｃｌ４アルキル基であり、ｎは少なくとも１、例えば１〜１６、好ましくは２〜１２、より好ましくは３〜１０である。  
【００３６】
アルコキシル化脂肪族アルコール非イオン性界面活性剤はしばしば、３〜１７、より好ましくは６〜１５、最も好ましくは１０〜１５の範囲の親水性−親油性バランス（ＨＬＢ）を有する。
脂肪族アルコールエトキシレートの例は、１２〜１５の炭素原子のアルコールから作られ、エチレンオキシドを約７モル含むものである。そのような物質は、シェル・ケミカル社によってＮｅｏｄｏｌ ２５−７およびＮｅｏｄｏｌ ２３−６.５の商標で市販されている。他の有用なＮｅｏｄｏｌには、Ｎｅｏｄｏｌ １−５（アルキル鎖に平均１１の炭素原子を有し、約５モルのエチレンオキシドを有するエトキシル化脂肪族アルコール）、Ｎｅｏｄｏｌ２３−９（約９モルのエチレンオキシドを有するエトキシル化第一級Ｃ１２−Ｃ１３アルコールエトキシレート）、Ｎｅｏｄｏｌ ９１−１０（約１０モルのエチレンオキシドを有するエトキシル化第一級Ｃ９−Ｃ１１アルコール）が含まれる。
【００３７】
このタイプのアルコールエトキシレート類は、シェル・ケミカル社によってＤｏｂａｎｏｌの商標で市販されている。Ｄｏｂａｎｏｌ ９１−５は平均５モルのエチレンオキシドを有するエトキシル化Ｃ９−Ｃ１１脂肪族アルコールであり、Ｄｏｂａｎｏｌ ２５−７は１モルの脂肪族アルコール当たり平均７モルのエチレンオキシドを有するエトキシル化Ｃ１２−Ｃ１５脂肪族アルコールである。
適切なアルコールエトキシレート非イオン性界面活性剤の他の例には、Ｔｅｒｇｉｔｏｌ １５−Ｓ−７およびＴｅｒｇｉｔｏｌ  １５−Ｓ−９が含まれ、これらは共にユニオンカーバイド社から入手できる直鎖第二級アルコールエトキシレート類である。Ｔｅｒｇｉｔｏｌ １５−Ｓ−７は、７モルのエチレンオキシドを有するエトキシル化Ｃ１１−Ｃ１５直鎖第二級アルカノールの混合産物であり、Ｔｅｒｇｉｔｏｌ  １５−Ｓ−９も同様であるが９モルのエチレンオキシドを有する。
【００３８】
他の適切なアルコールエトキシレート非イオン性界面活性剤は、Ｎｅｏｄｏｌ ４５−１１（１４−１５の炭素原子を有する脂肪族アルコールの同様のエチレンオキシド縮合産物であり、モル当たりのエチレンオキシド基の数が約１１である）である。そのような産物はシェル・ケミカル社からも入手可能である。
さらに非イオン性界面活性剤は、例えばＣ１２−Ｃｌ６アルキルポリグリコシド類、特にはポリグルコシド類のようなＣ１０−Ｃ１８アルキルポリグリコシド類である。高起泡性組成物が望まれる場合、これらは特に有用である。さらなる界面活性剤は、Ｃ１０−Ｃ１８  Ｎ（３−メトキシプロピル）−グルカミド類のようなポリヒドロキシ脂肪酸アミド類、およびプルロニック（Ｐｌｕｒｏｎｉｃ）タイプのエチレンオキシド−プロピレンオキシド・ブロック重合体である。
カチオン性界面活性剤の例は第四級アンモニウムタイプのものである。
【００３９】
組成中の界面活性剤の合計含有量は、望ましくは６０〜９５重量％、特には７５〜９０重量％である。
望ましくはアニオン性界面活性剤が５０〜７５重量％の量、非イオン性界面活性剤が５〜２０重量％の量および／またはカチオン性界面活性剤が０〜２０重量％の量で存在する。量は組成物の全固形物含有量に基づく。すなわち存在する可能性のあるあらゆる溶剤を除外する。
【００４０】
組成物は、特に洗濯洗剤または食器用洗剤組成物として使用される場合、プロテアーゼ、リパーゼ、アミラーゼ、セルラーゼおよびペルオキシダーゼ酵素のような酵素も含むことができる。そのような酵素は、例えばＮｏｖａ Ｉｎｄｕｓｔｒｉｅｓ Ａ／ＳによってＥｓｐｅｒｅｓｃ、Ａｌｃａｌａｓ、Ｓａｖｉｎａｓｃの登録商標で、Ｉｎｔｅｒｎａｔｉｏｎａｌ Ｂｉｏｓｙｎｔｈｅｔｉｃｓ社によってＭａｘａｔａｓｃの登録商標で市販されている。望ましくは酵素は０.５〜３重量％、特には１〜２重量％の量で組成物中に存在する。
【００４１】
組成物は、もし望むなら増粘剤またはゲル化剤を含んでもよい。適切な増粘剤は、Ｒｏｈｍ ａｎｄ Ｈａｓｓ 社によってＣＡＲＢＯＰＯＬまたはＡＣＵＳＯＬの商標で市販されているもののようなポリアクリレートポリマーである。他の適切な増粘剤はキサンタンガムである。一般に増粘剤は、存在する場合０.２〜４重量％の量、特には０.５〜２重量％の量で存在する。
【００４２】
通常、食器用洗剤組成物は洗剤ビルダーを含む。適切なビルダーはアルカリ金属またはアンモニウムの、リン酸塩、ポリリン酸塩、ホスホン酸塩、ポリホスホン酸塩、炭酸塩、重炭酸塩、硼酸塩、ポリヒドロキシスルホネート、ポリアセテート、並びにクエン酸塩のようなカルボン酸塩、およびポリカルボン酸塩である。ビルダーは、組成物の全重量に対して望ましくは最高９０重量％、好ましくは１５〜９０重量％、より好ましくは１５〜７５重量％の量で存在する。適切な成分のその他の詳細については、例えばＥＰ−Ａ−６９４,０５９、ＥＰ−Ａ−５１８,７２０、ＷＯ ９９／０６５２２に記述されている。 
【００４３】
組成物は任意選択で１つ以上の追加成分を含むこともできる。これらには、さらなる界面活性剤、漂白剤、漂白促進剤、ビルダー、起泡剤または泡抑制剤、防錆剤および防食剤、有機溶媒、助溶剤、相安定剤、乳化剤、防腐剤、汚れ分散剤、汚れ剥離剤、殺菌剤、ｐＨ調整剤またはバッファー、非ビルダー・アルカリソース、キレート剤、スメクタイトのようなクレイ、酵素安定剤、アンチライムスケール剤、着色剤、染料、ヒドロトロープ剤、色移り防止剤、光沢剤および香料のような公知の洗剤組成物成分が含まれる。使用される場合、一般にそのような任意選択成分は組成物の全重量の１０重量％以下、例えば１〜６重量％を構成する。
【００４４】
ビルダーは、カルシウムまたは他のイオン（この中の組成物を洗濯または漂白に使用する間に直面する水の硬度）の影響を打ち消す。そのような物質の例は、例えばアルカリ金属またはアルカリ土類金属カチオンとの、クエン酸塩、コハク酸塩、マロン酸塩、カルボキシメチルコハク酸塩、カルボン酸塩、ポリカルボン酸塩およびポリアセチルカルボン酸塩、または対応する遊離酸である。具体的な例は、オキシジコハク酸、メリット酸、ベンゼンポリカルボン酸、Ｃ１０−Ｃ２２脂肪酸およびクエン酸のナトリウム、カリウムおよびリチウム塩である。他の例は、ＭｏｎｓａｎｔｏによってＤｅｑｕｅｓｔの商標で市販されているもののような有機ホスホン酸塩タイプの金属イオン封鎖剤およびヒドロキシアルキルホスホン酸塩である。クエン酸塩およびＣ１２−Ｃ１８脂肪酸石鹸が好ましい。
【００４５】
他の適切なビルダーは、ビルダーの性質を有することが知られているポリマーおよびコポリマーである。例えば、そのような物質にはＢＡＳＦによってソッカラン（Ｓｏｋａｌａｎ）の商標で市販されているような、適切なポリアクリル酸、ポリマレイン酸、およびポリアクリル酸／ポリマレイン酸、およびそれらのコポリマーおよびその塩類が含まれる。
一般にビルダーは、組成物の重量に対して０〜３重量％、より好ましくは０.１〜１重量％を構成する。
【００４６】
酵素を含む組成物は、酵素の安定性を維持する物質を任意選択で含むことができる。そのような酵素安定剤には、例えばプロピレングリコールのようなポリオール、ホウ酸およびホウ酸ナトリウムが含まれる。
これらの酵素安定剤の組み合わせも使用することができる。もし利用される場合には、一般に酵素安定剤は組成物の０.１〜１重量％を構成する。
【００４７】
組成物は、相安定剤および／または助溶剤として役立つ物質を任意に含むことができる。
例えば、メタノール、エタノールおよびプロパノールのようなＣ１−Ｃ３アルコールを含むことができる。モノ−、ジ−、およびトリエタノールアミンのようなＣ１−Ｃ３アルカノールアミン類も、単独でまたはアルコールと組み合わせて使用することができる。相安定剤および／または助溶剤は、組成物の例えば０〜１重量％、好ましくは０.１〜０.５重量％を構成することができる。
【００４８】
組成物は、組成物のｐＨを適正水準に調整または維持する成分を任意に含むことができる。ｐＨは、組成物の性質に依存して、例えば１〜１３、８〜１１のような範囲であってもよい。例えば、食器用洗剤組成物は望ましくは８〜１１のｐＨを有し、望ましい洗濯洗剤組成物は７〜９のｐＨを有する。また、軟水剤組成物は望ましくは７〜９のｐＨを有する。ｐＨ調整剤の例はＮａＯＨおよびクエン酸である。
容器はそれ自身もし望むなら外部容器、例えば使用前に取り除かれる非水溶性容器で包装することができる。
【国際調査報告】
2005515130.tif 000002
2005515130.tif 000003
2005515130.tif 000004
2005515130.tif 000005